(57)【要約】【課題】信頼性と耐久性が高く、大量製造が可能な低価格の施錠検出装置であって、既存のキーにも適用できる汎用性の高い施錠検出装置を提供すること。【解決手段】施錠検出装置は上ケース３１と下ケース３２とでキーヘッド１ｂを挟持して保持するキーホルダー３と、キーヘッド１ｂを施錠方向に回転すると施錠信号を発生する静電容量式回転センサとで構成されている。前記静電容量式回転センサは、第１可変容量コンデンサＣ１、第２可変容量コンデンサＣ２、第３可変容量コンデンサＣ３、及び第４可変容量コンデンサＣ４を含んで構成されている。ゴム製内側板部材３３と３４は、キーヘッド１ｂを上ケース３１と下ケース３２で挟持するクッションとして機能すると共に、可動電極板Ｃ１ａ〜Ｃ４ａを変位させるダイヤフラムとして機能する。【選択図】　　　図８
2004076373.tif 000002
【特許請求の範囲】
【請求項１】
一対の硬質の外側板部材と一対の内側弾性板部材とでキーヘッドを挟持してキーを保持するキーホルダーと、前記外側板部材に取付けられた固定電極板と前記内側弾性板部材に取付けられた可動電極板とこれら電極板との間に配置された弾性誘電体とから構成されて前記キーヘッドの回転で前記固定電極板が変位させられる可変容量コンデンサを含む静電容量式回転センサとで構成された施錠検出装置。
【請求項２】
一対のプラスチック製外側板部材と一対のゴム製内側板部材とでキーヘッドを挟持してキーを保持するキーホルダーと、前記プラスチック製外側板部材に取付けられた固定電極板と前記ゴム製内側板部材に取付けられた可動電極板とこれら電極板との間に配置されたゴム板部材とから構成されて前記キーヘッドの回転で前記固定電極板が変位させられる可変容量コンデンサを含む静電容量式回転センサとで構成された施錠検出装置。
【請求項３】
前記キーホルダーはケース型キーホルダーであって、前記外側板部材は前記ケース型キーホルダーの上ケースと下ケースであることを特徴とする請求項１又は２の施錠検出装置。
【請求項４】
前記静電容量式回転センサは前記キーヘッドの施錠方向の回転で静電容量が増加する一対の可変容量コンデンサを含んで構成された静電容量ブリッジ回路を含むものであることを特徴とする請求項１又は２の施錠検出装置。
【請求項５】
前記静電容量式回転センサは前記キーヘッドの施錠方向の回転で静電容量が増加する一対の可変容量コンデンサと前記キーヘッドの解錠方向の回転で静電容量が増加する一対の可変容量コンデンサで構成された静電容量ブリッジ回路を含むものであることを特徴とする請求項１又は２の施錠検出装置。
【発明の詳細な説明】
【０００１】
【発明の属する技術分野】
本発明は、利用者がキーをキーホールに挿入し施錠方向に回転させたことを検出する電子式の施錠検出装置に関する。
【０００２】
【従来の技術】
米国特許第５０２５４２６号公報には、施錠時刻を再表示させることによって利用者が施錠したことを思い出せるように支援する携帯型施錠確認支援装置が開示されている。この携帯型施錠確認支援装置は、キーヘッドに一体に固着されたキーヘッド収納ケースと、このキーヘッド収納ケース内に設置された電子時計と、施錠検出装置と、再確認ボタン等で構成されたものである。前記電子時計は、時刻表示手段、計時手段、記憶手段及び制御手段を備えている。前記施錠検出装置は、キーの挿入を検出するキー挿入センサと、キーが施錠方向又は解錠方向に回転されたことを検出するキー回転センサとで構成されている。前記制御手段は、利用者が最後に行ったキー挿入及びキー回転行為を前記施錠検出手段が検出した時に、前記計時手段が計時している時刻を施錠時刻として前記記憶手段に記憶させる。利用者が前記再確認ボタンを押すと、前記制御手段は前記記憶手段に記憶されている施錠時刻を読み出して、前記表示手段に表示させる。これによって、利用者は施錠したことを簡単に確認することができる。
【０００３】
しかしながら、前記携帯型施錠確認支援装置の施錠検出装置は、機械式キー挿入センサと機械式キー回転センサとを他の構成部品と共に縦横３ｃｍ高さ１ｃｍ程度の小型のキーヘッド収納ケースに取付けるという複雑な構造である。このため、この施錠検出装置は組立てと調整に手間がかかり、安く大量に製造することが困難であるという問題を有する。
【０００４】
前記キー回転センサは円筒内に挿入された小球が傾斜方向に回転移動することによって傾き方向を検出する機械式傾斜計である。このため、前記キー回転センサは施錠によるキーの回転を検出するだけでなく、それ以外のキーの回転も検出することになる。また、前記キー挿入センサは機械式小型スイッチであり、その操作端は常に外部に露出しているため、キーホールにキーを挿入したことを検出するだけでなく、それ以外の押圧力をも検出する可能性がある。即ち、前記キー回転センサ又は前記キー挿入センサは誤作動の原因となる偽信号を発生する可能性があり、信頼性が低いという問題がある。
【０００５】
また、キーヘッドに一体に固着された施錠検出装置が有する大きな問題は、既に人々が日常使用しているキーに新たに取付けることは不可能であるということである。このため、キーヘッドと一体に固着された施錠検出装置を備えた携帯型施錠確認支援装置の利用者は、キーだけでなく、扉に設置されるシリンダーケースロック等の錠前も同時に購入しなければならないから、利用者に大きな負担となる。このことが、キーヘッドに一体に固着された施錠検出装置を備えた携帯型施錠確認支援装置が未だに実用化されない原因の一つである。
【０００６】
【発明が解決しようとする課題】
本発明が解決しようとする第１の課題は、信頼性と耐久性が高く且つ小型の施錠検出装置を提供することである。
【０００７】
本発明が解決しようとする第２の課題は、人々が既に利用している既存のキーにも適用できる汎用性の高い施錠検出装置を提供することである。
【０００８】
本発明が解決しようとする第３の課題は、大量製造が可能な低価格の施錠検出装置を提供することである。
【０００９】
【課題を解決するための手段】
上記課題を解決するために、キーヘッドを挟持して保持するキーホルダーの構成部材を利用して可変容量コンデンサを構成し、且つ、施錠方向又は解錠方向を検出する静電容量式回転センサを前記可変容量コンデンサを含んで構成した。
【００１０】
即ち、上記課題を解決する施錠検出装置を、キーヘッドを着脱可能に固定してキーを保持するキーホルダーと、前記キーヘッドの回転で静電容量が変化させられる可変容量コンデンサを含む静電容量式回転センサとで構成した。そして、前記キーホルダーを一対の硬質の外側板部材と一対の内側弾性板部材とでキーヘッドを挟持するように構成し、且つ、前記可変容量コンデンサを前記外側板部材に取付けられた固定電極板と前記内側弾性板部材に取付けられた可動電極板とこれら電極板との間に配置された弾性誘電体とで構成した。
【００１１】
上記課題を解決する施錠検出装置において、前記キーホルダーを一対のプラスチック製外側板部材と一対のゴム製内側板部材とでキーヘッドを挟持するように構成し、前記可変容量コンデンサを前記プラスチック外側板部材に取付けられた固定電極板と前記ゴム製内側板部材に取付けられた可動電極板とこれら電極板との間に配置されたゴム板部材とで構成した。
【００１２】
上記課題を解決する施錠検出装置において、前記キーホルダーはケース型キーホルダーであって、前記外側板部材は前記ケース型キーホルダーの上ケースと下ケースである。
【００１３】
上記課題を解決する施錠検出装置において、前記静電容量式回転センサは前記キーヘッドの施錠方向の回転で静電容量が増加する一対の可変容量コンデンサを含んで構成された静電容量ブリッジ回路を含むもの、又は、前記キーヘッドの施錠方向の回転で静電容量が増加する一対の可変容量コンデンサと前記キーヘッドの解錠方向の回転で静電容量が増加する一対の可変容量コンデンサで構成された静電容量ブリッジ回路を含むものである。
【００１４】
前記ゴム製内側板部材は、キーヘッドの回転により変位するダイヤフラムとして機能する。従って、前記ゴム製内側板部材の裏面に取付けられた固定電極板はキーヘッドの回転により変位し、前記可変容量コンデンサの静電容量を変化させる。また、前記ゴム製内側板部材の表面はキーヘッドの表面に当接し、キーヘッドの形状に対応して変形する。従って、前記ゴム製内側板部材は、様々な形状のキーヘッドを挟持してキーホルダーにキーを保持するクッションとして機能する。
【００１５】
【発明の実施の形態】
図１は本発明の施錠検出装置を備えた携帯型施錠確認支援装置の一実施例のブロック回路図である。図１に示す携帯型施錠確認支援装置は、電子時計が設置された携帯ケース２と、静電容量式回転センサが設置されたキーホルダー３とから構成されている。
【００１６】
前記電子時計は、プログラムに従って各種の演算と制御を行うＣＰＵ１１、前記プログラムと各種メッセージ情報等が記憶されたＲＯＭ１２、施錠時刻等が記憶されるＲＡＭ１３、基準周波数を発生する発振回路１４、基準周波数を計時用周波数に分周する分周回路１５、計時用周波数に基づいて時刻を計時する計時回路１６、表示器駆動回路１７、液晶表示器１８、合成音生成回路１９、スピーカー２０、再確認スイッチ２２とから構成されている。
【００１７】
前記施錠検出装置は、可変容量コンデンサＣ１、Ｃ２、Ｃ３及びＣ４から成る静電容量ブリッジ回路２６と、静電容量ブリッジ回路２６の出力電圧を増幅し波形整形して施錠信号Ｓ１又は解錠信号Ｓ２を発生する施解錠信号生成回路２７と、静電容量ブリッジ回路２６に定電圧を供給する直流電圧電源Ｖとから構成されている。
【００１８】
このキーホルダー３は、そのキーヘッドを固定してキーを保持するキーホルダーであって、携帯時には携帯ケース２に収納可能にして携帯ケース２と結合されたものである。
【００１９】
ＲＯＭ１２には、ＣＰＵ１１の制御プログラム等が記憶されたプログラム記憶部１２ａ、各種メッセージが記憶されたメッセージ情報記憶部１２ｂが含まれている。また、ＲＡＭ１３には施錠時刻記憶部１３ａが含まれている。施錠時刻記憶部１３ａに記憶される施錠時刻は、利用者が施錠した時刻である。通常は、施錠信号Ｓ１がＣＰＵ１１に入力されたときに計時回路１６が計時している現在時刻が施錠時刻として記憶される。
【００２０】
図２は、本発明の施錠検出装置を備えた携帯型施錠確認支援装置の施錠確認支援動作の基本フローチャートである。
【００２１】
即ち、図２において、利用者がキーをキーホールに差し込み施錠方向に回転して施錠すると、施錠検出装置は施錠信号Ｓ１を発生する。すると、ＣＰＵ１１はこれを検出（１０１）し、計時回路１６が計時している現在時刻を施錠時刻ＴとしてＲＡＭ１３の施錠時刻記憶部１３ａに記憶させる（１０２）。続いて、ＣＰＵ１１はＲＡＭ１３の施錠時刻記憶部１３ａから施錠時刻Ｔを読み出し、表示器駆動回路１７を制御して液晶表示器１８に表示させ、また合成音生成回路１９に与えて音声メッセージに変換しスピーカー２０によって音声報知させる（１０３）。なお図２のフローチャートにおいて、ステップ１０２とステップ１０３は入れ替えてもよい。
【００２２】
ステップ１０３における施錠時刻の報知は、「２００２　６／１５　０７：２８」の如き画面表示と、「６月１５日７時２８分です。」「６月１５日７時２８分、施錠しました。」等のメッセージによる音声報知の両方、又はいずれか一方である。利用者は施錠時刻の報知によって施錠確認したことを再認識する。
【００２３】
ステップ１０３の施錠時刻の報知が終わると、ＣＰＵ１１は施錠確認支援プログラムを終了させる。
【００２４】
図３は、本発明の施錠検出装置を備えた携帯型施錠確認支援装置の施錠確認支援動作のフローチャートである。
【００２５】
即ち、図３において利用者が再確認スイッチ２３を操作すると、再確認信号Ｓ３が発生する。すると、携帯型施錠確認支援装置は施錠再確認支援プログラムを開始させる。即ちＣＰＵ１１は確認信号Ｓ２を検出する（２０１）と、ＲＡＭ１３の施錠時刻記憶部１３ａに施錠時刻Ｔが記憶されているかを調べる（２０２）。施錠時刻Ｔが記憶されていた場合には、施錠時刻Ｔの再報知を行い（２０３）、再確認プログラムを終了させる。
【００２６】
施錠時刻Ｔの再報知は、「２００２　６／１５　０７：２８」の如き画面表示と、「６月１５日７時２８分です。」「６月１５日７時２８分、施錠しました。」等のメッセージによる音声報知の両方、又はいずれか一方である。
【００２７】
次に、キーホルダーと静電容量式回転センサとで構成され、且つ、前記静電容量式回転センサを前記キーホルダーの構成部材を利用して構成した本発明の施錠検出装置の実施形態について、図４〜図８を参照して詳細に説明する。
【００２８】
キーホルダー３は、図６に示す如く、一対の硬質の外側板部材、即ちプラスチック製の上ケース３１と下ケース３２を有する。上ケース３１と下ケース３２は接合されて、図４又は図５に示す如く、１個のキーヘッド収納ケースを構成する。上ケース３１の開口はゴム製内側板部材３３で塞がれ、下ケース３２の開口はゴム製内側板部材３４で塞がれている。なお、キーホルダー３は一対の硬質の外側板部材は、ステンレスやアルミニウムなどの金属板を用いることもできる。この場合、金属製の上ケース３１と下ケース３２の夫々の底面には絶縁シートが貼り付けられている。なお、図４と図５において、１ａはキー本体、３ａはキー本体用開口である。また、図６において、３１ａと３２ａはキー本体用開口を形成する切り欠き溝である。
【００２９】
キー１は、そのキーヘッド１ｂを上ケース３１と下ケース３２で挟持されてキーホルダー３に着脱可能にして保持されている。上ケース３１と下ケース３２はキーヘッド１ｂを挟持した後に一体に接合される。前記接合は、上ケース３１に形成された嵌合ピン３７ａと下ケース３２に形成された嵌合穴３７ｂを用いて行われる。又は、前記接合は、上ケース３１と下ケースの四隅をネジ止めして行われ、或いは接着剤を接合面に塗布して行われる。
【００３０】
ゴム製内側板部材３３と３４の表面はキーヘッド１ｂの表面に当接し、キーヘッド１ｂの形状に対応して変形する。従って、ゴム製内側板部材３３と３４は、様々な形状のキーヘッドを挟持してキーホルダーにキーを保持するクッションとして機能する。
【００３１】
上ケース３１には、キー１を施錠方向に回転させたときに静電容量が増加する第１可変容量コンデンサＣ１と、キー１を解錠方向に回転させたときに静電容量が増加する第２可変容量コンデンサＣ２が設けられている。また、下ケース３２には、キー１を施錠方向に回転させたときに静電容量が増加する第３可変容量コンデンサＣ３と、キーを解錠方向に回転させたときに静電容量が増加する第４可変容量コンデンサＣ４が設けられている。
【００３２】
即ち、図８に示す如く、上ケース３１の底面の左側には固定電極板Ｃ１ｂが、且つ対向するゴム製内側板部材３３の裏面には可動電極板Ｃ１ａが夫々貼り付けられ、第１可変容量コンデンサＣ１を形成している。上ケース３１の底面の右側には固定電極板Ｃ２ｂが、且つ対向するゴム製内側板部材３３の裏面には可動電極板Ｃ２ａが夫々貼り付けられ、第２可変容量コンデンサＣ２を形成している。上ケース３１の底面とゴム製内側板部材３３との間には可変容量コンデンサＣ１とＣ２の弾性誘電体となるゴム板３５が配置されている。
【００３３】
同様に、図８に示す如く、下ケース３２の底面の右側には固定電極板Ｃ３ｂが、且つ対向するゴム製内側板部材３４の裏面には可動電極板Ｃ３ａが夫々貼り付けられ、第３可変容量コンデンサＣ３を形成している。また、下ケース３２の底面の左側には固定電極板Ｃ４ｂが、且つ対向するゴム製内側板部材３４の裏面には可動電極板Ｃ４ａが夫々貼り付けられ、第４可変容量コンデンサＣ４を形成している。下ケース３２の底面とゴム製内側板部材３４との間には可変容量コンデンサＣ３とＣ４の弾性誘電体となるゴム板３６が配置されている。
【００３４】
ゴム製内側板部材３３と３４は、キーヘッド１ｂの回転により変位するダイヤフラムとして機能する。従って、ゴム製内側板部材３３と３４の裏面に取付けられた可動電極板Ｃ１ａ〜Ｃ４ａはキーヘッド１ｂの回転により変位し、可変容量コンデンサＣ１〜Ｃ４の静電容量を変化させる。施錠時又は解錠時にキーヘッド１ｂがキーホルダー３内で回転する角度は非常に小さく、キーヘッド１ｂの端部で押圧されてゴム製内側板部材３３と３４が弾性変形して変位する可動電極板Ｃ１ａ〜Ｃ４ａの変位量は微小で、例えば数１００μ程度である。ゴム製内側板部材３３と３４の弾性変形は、キーヘッド１ｂの端部の押圧力が解除されると、元の状態に復帰する。従って、キーヘッド１ｂは、施錠時や解錠時以外のときは、ゴム製内側板部材３３と３４の弾性によりキーホルダー３内のニュートラル位置に常に保持されている。
【００３５】
第１可変容量コンデンサＣ１、第２可変容量コンデンサＣ２、第３可変容量コンデンサＣ３及び第４可変容量コンデンサＣ４は、図１に示す如く、静電容量ブリッジ回路２６を形成している。静電容量ブリッジ回路２６の出力電圧信号が入力されて、施錠信号Ｓ１と解錠信号Ｓ２を発生する施解錠信号生成回路２７は、市販の半導体集積回路等を利用して構成されている。静電容量ブリッジ回路２６も施解錠信号生成回路２７も、携帯電話機や電子腕時計などの小型携帯電子機器の回路配置技術や実装技術を用いてキーホルダー３に取付けられている。
【００３６】
このように構成されたキーホルダー３において、施錠時には、キーヘッド１ｂは時計方向に回転し、可動電極板Ｃ１ａと固定電極板Ｃ１ｂとの間隔を狭めて可変容量コンデンサＣ１の静電容量を増加させ、可動電極板Ｃ２ａと固定電極板Ｃ２ｂとの間隔を広げて可変容量コンデンサＣ２の静電容量を減少させ、可動電極板Ｃ３ａと固定電極板Ｃ３ｂとの間隔を広げて可変容量コンデンサＣ３の静電容量を減少させ、且つ、可動電極板Ｃ４ａと固定電極板Ｃ４ｂとの間隔を狭めて可変容量コンデンサＣ４の静電容量を増加させる。すると、静電容量ブリッジ回路２６のバランスがくずれ、施錠を表すブリッジ出力電圧を発生する。この施錠を表す出力電圧に基づいて、施解錠信号生成回路２７は施錠信号Ｓ１を発生する。
【００３７】
解錠時には、これとは逆に、キーヘッド１ｂは反時計方向に回転し、可動電極板Ｃ１ａと固定電極板Ｃ１ｂとの間隔を広げて可変容量コンデンサＣ１の静電容量を減少させ、可動電極板Ｃ２ａと固定電極板Ｃ２ｂとの間隔を狭めて可変容量コンデンサＣ２の静電容量を増加させ、可動電極板Ｃ３ａと固定電極板Ｃ３ｂとの間隔を狭めて可変容量コンデンサＣ３の静電容量を増加させ、且つ、可動電極板Ｃ４ａと固定電極板Ｃ４ｂとの間隔を広げて可変容量コンデンサＣ４の静電容量を減少させる。すると、静電容量ブリッジ回路２６のバランスがくずれ、解錠を表すブリッジ出力電圧を発生する。この解錠を表す出力電圧に基づいて、施解錠信号生成回路２７は解錠信号Ｓ２を発生する。
【００３８】
要するに、本発明に係る施錠検出装置は、キーヘッド１ｂの回転によって静電容量が変化する可変容量コンデンサを用いて構成された静電容量式回転センサである。前記可変容量コンデンサは、キーホルダー３の上ケース３１と下ケース３２の底面に貼り付けられた固定電極板と、上ケース３１と下ケース３２の夫々の開口を塞いでいるゴム製内側板部材３３と３４の裏面に貼り付けられた可動電極板とで構成されている。キーヘッド１ｂの回転によってゴム製内側板部材３３と３４は変位し、前記固定電極板と可動電極板の間隔が変化し、従って可変容量コンデンサの静電容量が変化する。
【００３９】
前記静電容量式回転センサを構成する可変容量コンデンサは、図８に示す如く、キーヘッド１ｂの上下左右に対応する位置に４個、即ち第１可変容量コンデンサＣ１、第２可変容量コンデンサＣ２、第３可変容量コンデンサＣ３及び第４可変容量コンデンサＣ４の４個を配置するのが望ましい。
【００４０】
勿論、静電容量式回転センサはキーホルダー３の上ケース３１又は下ケース３２の左右に設けられた一対の可変容量コンデンサを含んで構成することもできる。即ち、図８を参照すれば、静電容量式回転センサは第１可変容量コンデンサＣ１と第２可変容量コンデンサＣ２、又は第３可変容量コンデンサＣ３と第４可変容量コンデンサＣ４を含んで構成できる。
【００４１】
同様に、静電容量式回転センサはキーホルダー３の上ケース３１と下ケース３２の左側又は右側に設けられた一対の可変容量コンデンサを含んで構成することもできる。即ち、図８を参照すれば、静電容量式回転センサは第１可変容量コンデンサＣ１と第４可変容量コンデンサＣ４、又は第２可変容量コンデンサＣ２と第３可変容量コンデンサＣ３を含んで構成できる。
【００４２】
更に、施錠又は解錠だけの検出であれば、静電容量式回転センサは第１可変容量コンデンサＣ１、第２可変容量コンデンサＣ２、第３可変容量コンデンサＣ３又は第４可変容量コンデンサＣ４のいずれか１個だけ含んで構成できる。
【００４３】
ところで、上述の実施形態では、内側弾性板部材３３と３４はいずれも１枚のゴム板で形成されたものである。しかしながら、内側弾性板部材は、弾性率の異なる２枚の弾性板部材を貼り合わせて形成してもよい。この場合、２枚の弾性板部材は共にゴム板でもよいが、ダイヤフラムとして機能する弾性板部材はポリイミド等のプラスチック板とし、クッションとして機能する弾性板部材はゴム板としてもよい。また、クッションとして機能する内側弾性板部材の面には、挟持されるキーヘッドの形状に合わせた凹みを形成してもよい。或いは、挟持されるキーヘッドの形状に合わせた型板を、前記凹みの代わりに用いてもよい。
【００４４】
次に、本発明の施錠検出装置を備えた携帯型施錠確認支援装置を、折り畳み型キーホルダーを備えた携帯型施錠確認支援装置について、携帯ケース２とキーホルダー３との構成を中心にして以下に説明する。
【００４５】
折り畳み型キーホルダーを備えた携帯型施錠確認支援装置は、キーホルダー３が携帯ケース２にヒンジ４７ａで結合されたものである。図９は、折り畳み型キーホルダーが結合された携帯ケース２の縦断面図であり、（Ａ）はその携帯時の縦断面図を、（Ｂ）はその施解錠時の縦断面図を夫々示す。また、図１０は携帯時の斜視図である。
【００４６】
図９において、携帯ケース２は蓋２ａと電子回路部等収納ケース２ｂとによって構成されている。蓋２ａは電子回路部等収納ケース２ｂの左端にヒンジ４７ｂによって結合され、これによって蓋２ａと電子回路部等収納ケース４０ｂはキー収納室２ｃを構成している。また、キーホルダー３はヒンジ４７ａによって電子回路部等収納ケース２ｂの右端に結合されている。更に、図示されていないが、施錠検出装置と電子時計とを接続する配線ケーブルが設置されている。前記電子回路部は、電子時計を構成するＣＰＵ、ＲＯＭ、ＲＡＭ等の電子部品を含む。
【００４７】
携帯時には図９（Ａ）に示す如く、キーホルダー３はキー本体１ａと共に携帯ケース２のキー収納室２ｃ内に収納されている。施錠時には、蓋２ａを反時計方向に回転して開け、且つ、キーホルダー３を時計方向に回転して携帯ケース２の外にキー本体１ａを突出させる。次いで蓋２ａを時計方向に回転して閉じると、図９（Ｂ）の如くとなる。
【００４８】
なお、本発明の施錠検出装置は、図９と図１０に示す携帯時にキー本体１ａがキーホルダー３と共に携帯ケースに収納される携帯型施錠確認支援装置だけでなく、キーホルダーのみで構成する携帯型施錠確認支援装置にも適用できる。即ち、図５に示す如く、液晶表示器１８をキーホルダー３の上ケース３１の表面に設け、電子時計の構成部品等を上ケース３１の内部に配置した携帯型施錠確認支援装置である。液晶表示器１８と電子時計の構成部品等は、周知の回路配置技術と実装技術を用いてキーホルダー３に取付けられる。また、キーホルダー３の他に、キーホルダー３を収納する外ケースを設け、前記外ケースに液晶表示器１８と電子時計の構成部品等を配置した携帯型施錠確認支援装置も実現できる。
【００４９】
【発明の効果】
本発明に係る施錠検出装置は、キーホルダーと静電容量式回転センサとで構成され、前記静電容量式回転センサを前記キーホルダーの構成部材を利用して構成したものである。従って、本発明により、構造簡単で、信頼性と耐久性が高く、且つ、安く大量に製造できる施錠検出装置が提供された。
【００５０】
また、本発明に係る施錠検出装置は、一対の外側板部材と一対の内側弾性板部材とでキーヘッドを挟持してキーを保持するキーホルダーを備えるものであるから、様々な形状のキーヘッドのキーに適用できる。従って、本発明により汎用性の高い施錠検出装置が提供された。
【００５１】
更に、本発明に係る施錠検出装置を適用した携帯型施錠確認支援装置であって、携帯時にキー本体が携帯ケースに収納される携帯型施錠確認支援装置は、誤操作がなく、信頼性が高い。
【図面の簡単な説明】
【図１】本発明の施錠検出装置を備えた携帯型施錠確認支援装置の一実施形態のブロック回路図である。
【図２】本発明の施錠検出装置を備えた携帯型施錠確認支援装置の基本的な施錠確認支援動作のフローチャートである。
【図３】本発明の施錠検出装置を備えた携帯型施錠確認支援装置の基本的な再確認支援動作のフローチャートである。
【図４】本発明の施錠検出装置の一実施形態の斜視図である。
【図５】本発明の施錠検出装置を備えた施錠確認支援装置の一実施形態の斜視図である。
【図６】本発明の施錠検出装置を構成するキーホルダーの一実施形態の分解斜視図であり、（Ａ）は上ケース、（Ｂ）は下ケースである。
【図７】キーホルダーの側面から見た本発明の施錠検出装置の一実施形態の断面図である。
【図８】キーホルダーの背面から見た本発明の施錠検出装置の一実施形態の拡大断面図である。
【図９】折り畳み型キーホルダーを備えた携帯型施錠確認支援装置の縦断面図であって、（Ａ）は携帯時の縦断面図、（Ｂ）は施錠時又は　解錠時の縦断面図である。
【図１０】折り畳み型キーホルダーを備えた携帯型施錠確認支援装置の携帯時の斜視図である。
【符号の説明】
１　キー
１ａ　キー本体
１ｂ　キーヘッド
２　携帯ケース
２ａ　蓋
２ｂ　電子回路部等収納ケース
２ｃ　キー収納室
３　キーホルダー
１１　ＣＰＵ
１２　ＲＯＭ
１２ａ　プログラム記憶部
１２ｂ　メッセージ情報記憶部
１３　ＲＡＭ
１３ａ　施錠時刻記憶部
１４　発振回路
１５　分周回路
１６　計時回路
１７　表示器駆動回路
１８　液晶表示器
１９　合成音生成回路
２０　スピーカー
２２　確認スイッチ
２６　静電容量ブリッジ回路
２７　施解錠信号生成回路
３１　上ケース
３２　下ケース
３３，３４　ゴム製内側板部材
３５，３６　ゴム板
３７ａ　嵌合突起
３７ｂ　嵌合穴
４７ａ，４７ｂ　ヒンジ
Ｃ１　第１可変容量コンデンサ
Ｃ１ａ　第１可変容量コンデンサの可動電極板
Ｃ１ｂ　第１可変容量コンデンサの固定電極板
Ｃ２　第２可変容量コンデンサ
Ｃ２ａ　第２可変容量コンデンサの可動電極板
Ｃ２ｂ　第２可変容量コンデンサの固定電極板
Ｃ３　第３可変容量コンデンサ
Ｃ３ａ　第３可変容量コンデンサの可動電極板
Ｃ３ｂ　第３可変容量コンデンサの固定電極板
Ｃ４　第４可変容量コンデンサ
Ｃ４ａ　第４可変容量コンデンサの可動電極板
Ｃ４ｂ　第４可変容量コンデンサの固定電極板
Ｓ１　施錠信号
Ｓ２　解錠信号
Ｓ３　再確認信号
Ｔ　施錠時刻
【図１】
2004076373.tif 000003
【図２】
2004076373.tif 000004
【図３】
2004076373.tif 000005
【図４】
2004076373.tif 000006
【図５】
2004076373.tif 000007
【図６】
2004076373.tif 000008
【図７】
2004076373.tif 000009
【図８】
2004076373.tif 000010
【図９】
2004076373.tif 000011
【図１０】
2004076373.tif 000012